(57)【要約】【課題】本発明は、既設のキャビネット２に新規の内機３を取り付けを行う場合の作業を省力化することを目的としている。【解決手段】本発明に係る内機取り付けアダプタは、内機３を取り付けるための第一の内機取り付け具８を内機取り付けアダプタ１２に設けると共に、内機取り付けアダプタ１２をキャビネット２の背面に固定するための取り付け穴を、キャビネット２に設けられた第二の内機取り付け具１４の種々のピッチに対応可能に設けたことを特徴とする。【選択図】図１
2010035383.tif 000002
【特許請求の範囲】
【請求項１】
レールに機器取り付け板を渡し、該機器取り付け板上に電気機器を配置して構成される内機をキャビネットの背面に固定するための内機取り付けアダプタであって、前記内機を取り付けるための内機取り付け具を前記内機取り付けアダプタに設けると共に、前記内機取り付けアダプタを前記キャビネットの背面に固定するための取り付け穴を、前記キャビネットに設けられた内機取り付け具の種々のピッチに対応可能に設けたことを特徴とする内機取り付けアダプタ。
【発明の詳細な説明】
【技術分野】
【０００１】
本発明は、レールに機器取り付け板を渡し、機器取り付け板上に回路遮断器を配置して構成される内機をキャビネットの背面に固定するための内機取り付けアダプタに関するものである。
【背景技術】
【０００２】
従来、分電盤の内機のキャビネットへの取り付け構造として、取付用アタッチメントを用いる方法があった。取付用アタッチメントに標準ユニットと、特殊ユニットとがそれぞれ取り付け可能に取り付け穴を設けるものである。
【０００３】
機器の取り付け時に機器取り付けパネルに穴加工を施す必要なく、且つ、取り付け位置も容易に変更可能であるレールをキャビネットに具備させ、このレール上に電気機器を取り付けていた。
【０００４】
その他、内機固定具それぞれに、内機の装着位置を調整可能とするアダプタを用いる方法もある。
【特許文献１】実開昭６２−１８２００４号公報
【特許文献２】実開平５−４６０７８号公報
【特許文献３】特開２００７−７４８５０号公報
【発明の開示】
【発明が解決しようとする課題】
【０００５】
従来、分電盤のリニューアルを行う際、キャビネットは既設のものを利用し、内機のみを入れ替えることがある。この場合、図５に示すように、既設のキャビネットに設けられている内機取り付け具と、新規の内機のキャビネットへの取り付けピッチとが合わず、新しく、新規の内機の取り付けピッチに合わせた内機取り付け具を取り付ける必要があった。
【０００６】
そこで、上記に示す分電盤のように、取付用アタッチメントや、取り付け位置が変更可能なレール等を用いる方法が考え出されたが、取付用アタッチメントや、内機の取り付け位置が変更可能であるレールは、キャビネットに設けられている内機固定具の位置と、内機の取り付けピッチが予めわかっている場合にのみ有効であり、リニューアル工事のように、既存のキャビネットに新しい内機を取り付けたい場合に、既存のキャビネットの内機固定具の位置と、取り付けようとする内機の取り付けピッチとを確認した上でないと、取付用アタッチメントやレールを利用することは困難であった。
【０００７】
また、内機の装着位置を調整可能とするアダプタは、キャビネットに設けられている複数の内機固定具それぞれに取り付け、それぞれで調整をしなくてはならず、時間と手間がかかっていた。
【課題を解決するための手段】
【０００８】
そこで本発明は、既設のキャビネットに新規の内機を取り付けを行う場合の作業を省力化することを目的とし、内機を取り付けるための内機取り付け具を内機取り付けアダプタに設けると共に、内機取り付けアダプタをキャビネットの背面に固定するための取り付け穴を、キャビネットに設けられた内機取り付け具の種々のピッチに対応可能に設けたことを特徴とする。
【発明の効果】
【０００９】
本発明に係る内機取り付けアダプタは、内機を取り付けるための内機取り付け具を内機取り付けアダプタに設けると共に、内機取り付けアダプタをキャビネットの背面に固定するための取り付け穴を、キャビネットに設けられた内機取り付け具の種々のピッチに対応可能に設けたため、既設のキャビネットに新しく内機を装着するリニューアル工事を行う場合、新規の内機のキャビネットへの装着位置への位置合わせが容易になり、作業が大変簡単になり、大幅に省力化が図れる。
【発明を実施するための最良の形態】
【００１０】
本発明に係る内機取り付けアダプタの実施例を図の添付図面に基いて説明する。
【００１１】
分電盤１は、キャビネット２に内機３を組み込んで構成される。内機３は、左右のレール４，４に機器取り付けパネル５，５を渡し、機器取り付けパネル５，５の上に主幹ブレーカ６や分岐ブレーカ７等の電気機器を配置したものである。キャビネット２への内機取り付け構造は、キャビネット２の背面内側に第一の内機取り付け具８が設けられている。内機取り付け具８は、内機３の位置決めと固定を行うボルト部９が突設されている。内機３を構成するレール４，４にはボルト９に対向するボルト穴もしくは、切り欠き１０が設けられ、ボルト９に対向させ設置し、キャビネット２の前面側から固定ナット１１を締め付け、レール４，４に内機３を固定する構造となっている。
【００１２】
本発明に係る内機取り付けアダプタ１２は、既設の分電盤のリニューアル工事の際、キャビネット２は既設の分電盤のものをそのまま利用し、新規に内機３のみを入れ替える場合に用いられるものである。既設のキャビネット２に四ヶ所設けられている内機取り付け具８の左右に内機取り付けアダプタ１２を渡す。前面側より固定ナット１１で内機取り付け具８のボルト部９を締め付け、内機取り付けアダプタ１２を既設キャビネット２の第一の内機取り付け具８に固定する。
【００１３】
内機取り付けアダプタ１２に設けられる、第一の内機取り付け具８のボルト部９を前面側に突出させる取り付け穴１３は、多種の分電盤の内機取り付けピッチに対応可能であるように、左右方向への長穴形状とする。取り付け穴１３の範囲内において内機取り付けアダプタ１２の装着位置を調整し、適当な位置で、固定ナット１１でボルト部９を締め付け、内機取り付けアダプタ１２をキャビネット２に固定する。
【００１４】
内機取り付けアダプタ１２の前面側には、今回取り付けようとする内機３の取り付けピッチに対向させた位置に第二の内機取り付け具１４を設ける。第二の内機取り付け具１４には、新規の内機３を取り付ける。取り付け方法は、従来と同様、内機３を構成するレール４，４には第二の内機取り付け具１４に設けられたボルト部１５に対向するボルト穴もしくは、切り欠き１０を設け、ボルト部１５に対向させ内機３を設置し、キャビネット２の前面側から固定ナット１６を締め付け、内機３を固定する。
【００１５】
内機取り付けアダプタの取り付け穴は、図２に示す左右方向に長穴形状のものに限定されるものではなく、図３に示すように、取り付け穴１７は上下方向に長穴形状とし、内機の取り付け位置を上下に調整可能とすることもできる。また、図４に示すように、取り付け穴１８は第一の内機固定具のボルト部の固定位置を調整できる大きさとしてもよく、内機の取り付け位置を左右上下に限定せず、適宜調整可能とすることもできる。
【図面の簡単な説明】
【００１６】
【図１】本発明に係る内機取り付けアダプタを取り付けた状態を示す分電盤の正面図である。
【図２】本発明に係る内機取り付けアダプタを示す正面図である。
【図３】本発明に係る内機取り付けアダプタの変形実施例を示す正面図である。
【図４】本発明に係る内機取り付けアダプタの変形実施例を示す正面図である。
【図５】既設の分電盤のキャビネットをそのまま利用し内機を取り替えようとした状態を示す分電盤の正面図である。
【符号の説明】
【００１７】
１    分電盤
２    キャビネット
３    内機
４    レール
５    機器取り付けパネル
６    主幹ブレーカ
７    分岐ブレーカ
８    第一の内機取り付け具
９    ボルト部
１０  切り欠き
１１  固定ナット
１２  内機取り付けアダプタ
１３  取り付け穴
１４  第二の内機取り付け具
１５  ボルト部
１６  固定ナット
１７  取り付け穴
１８  取り付け穴
【図１】
2010035383.tif 000003
【図２】
2010035383.tif 000004
【図３】
2010035383.tif 000005
【図４】
2010035383.tif 000006
【図５】
2010035383.tif 000007